(57)【要約】      （修正有）【課題】送達経路図の変更や新規経路図の加入等更新された送達物送達経路図作成システムおよび作成方法並びに送達物送達経路図画面表示プログラムを提供する。【解決手段】コンピュータ２３には、入出力装置２６ａ、画面表示装置２６ｃ、ＣＰＵ２７およびメモリ２８を具備し、メモリ２８には、地図情報データ，郵便番号情報データおよびこの郵便番号情報データの郵便番号に対応した画面位置割付座標データを備え、ＣＰＵ２７には、画面位置割付座標データに基き、画面表示装置２６ｃの画面上へ表示郵便番号およびこの表示郵便番号の表示位置を演算処理し、送達経路図作成データｙを作成する画面位置割付演算手段２７ａおよび郵便番号表示演算手段２７ｂを備え、コンピュータ２４ａは、画面表示装置６１ｃを備え、コンピュータ２３側から送信される送達経路図作成データｙに基き、第２の画面表示装置に送達経路図を画面表示し得るようにした。【選択図】  図１
2005289592.tif 000002
【特許請求の範囲】
【請求項１】
通信網を介して通信接続される第１および第２のコンピュータを備え、
上記第１のコンピュータには、入出力装置、画面表示装置、ＣＰＵおよびメモリを具備し、
上記メモリには、地図情報データ，郵便番号情報データおよびこの郵便番号情報データの郵便番号に対応した画面位置割付座標データを備え、
上記ＣＰＵには、上記画面位置割付座標データに基き、上記画面表示装置の画面上へ表示郵便番号およびこの表示郵便番号の表示位置を演算処理し、送達物送達経路図作成データを作成する画面位置割付演算手段および郵便番号表示演算手段を備え、
上記第２のコンピュータは、少なくとも画面表示装置を備え、上記第１のコンピュータ側から送信される送達物送達経路図作成データに基き、上記第２の画面表示装置に送達物送達経路図を画面表示し得るようにしたことを特徴とする送達物送達経路図作成システム。
【請求項２】
通信網を介して通信接続される第１および第２のコンピュータを備え、
上記第１のコンピュータは、入出力装置、画面表示装置ＣＰＵおよびメモリを具備し、
上記メモリには、地図情報データ，郵便番号情報データおよびこの郵便番号情報データの郵便番号に対応した画面位置割付座標データを備え、
上記ＣＰＵには、上記画面位置割付座標データに基き、上記画面表示装置の画面上へ表示郵便番号およびこの表示郵便番号の表示位置を演算処理し、送達物送達経路図作成データを作成する画面位置割付演算手段および郵便番号表示演算手段を備え、
上記第２のコンピュータは、少なくとも画面表示装置と、上記第１のコンピュータ側にて書き込まれた送達物送達経路図作成データおよび送達物送達経路図画面表示プログラムを記録するメモリを備え、画面表示装置にて送達物送達経路図を画面表示し得るようにしたことを特徴とする送達物送達経路図作成システム。
【請求項３】
通信網を介して通信接続される第１および第２のコンピュータを備え、
上記第１および第２のコンピュータは、それぞれ入出力装置、画面表示装置、ＣＰＵおよびメモリを具備し、
上記メモリには、地図情報データ，郵便番号情報データおよびこの郵便番号情報データの郵便番号に対応した画面位置割付座標データを備え、
上記ＣＰＵには、上記画面位置割付座標データに基き、上記画面表示装置の画面上へ表示郵便番号およびこの表示郵便番号の表示位置を演算処理し、送達物送達経路図作成データを作成する画面位置割付演算手段および郵便番号表示演算手段を備え、
上記第１および第２のコンピュータの一方側が、他方側から上記送達物送達経路図作成データおよびこの送達物送達経路図作成データを画面表示するための送達物送達経路図画面表示プログラムデータを受信する一方、この受信した送達物送達経路図画面表示プログラムデータをメモリに記録することにより、上記画面表示装置に送達物送達経路図を画面表示し得るようにしたことを特徴とする送達物送達経路図作成システム。
【請求項４】
上記第１および第２のコンピュータは、プログラムリーダを備え、送達物送達経路図作成データから送達物送達経路図を画面表示する送達物送達経路図画面表示プログラムデータを記録媒体を介して上記プログラムリーダにより読み取ることを特徴とする請求項１〜３のいずれかに記載の送達物送達経路図作成システム。
【請求項５】
第１のコンピュータが、地図情報データ，郵便番号情報データおよびこの郵便番号情報データの郵便番号に対応した画面位置割付座標データを作成するステップと、
この作成された画面位置割付座標データを第１のコンピュータが演算処理して送達物送達経路図作成データを作成するステップと、
この送達物送達経路図作成データおよび送達物送達経路図画面表示プログラムデータを第１のコンピュータが第２のコンピュータ側へ送信するステップと、
上記送達物送達経路図作成データおよび送達物送達経路図画面表示プログラムデータを受信した第２のコンピュータが、送達物送達経路図を作成するステップと、
上記第２のコンピュータが、上記送達物送達経路図を画面表示装置に表示するステップとを具備することを特徴とする送達物送達経路図作成方法。
【請求項６】
第１のコンピュータが、地図情報データ，郵便番号情報データおよびこの郵便番号情報データの郵便番号に対応した画面位置割付座標データを作成するステップと、
この作成された画面位置割付座標データを第１のコンピュータが演算処理して送達物送達経路図作成データを作成するステップと、
この送達物送達経路図作成データおよび送達物送達経路図画面表示プログラムデータを第１のコンピュータがプログラムとして記憶するステップと、
第２のコンピュータが、上記プログラムをプログラムリーダにて読み込むステップと、
上記第２のコンピュータが、上記送達物送達経路図作成データに含まれる送達物送達経路図を、画面表示装置に表示させるステップとを具備することを特徴とする送達物送達経路図作成方法。
【請求項７】
コンピュータにて送達物の送達経路図を作成する処理を実行させる送達物経路図作成プログラムであって、
前記コンピュータを地図情報データ，郵便番号情報データおよびこの郵便番号情報データに基き作成される画面位置割付座標データを作成、記憶する手段と、
前記郵便番号が入力されると、前記画面位置割付座標データに基づき、入力された郵便番号に対応する表示位置を演算する手段と、
この演算された結果を前記地図情報と共に送達物経路図として画面へ表示出力する手段として機能させることを特徴とする送達物経路図作成プログラム。
【発明の詳細な説明】
【技術分野】
【０００１】
本発明は、コンピュータにて送達物送達経路情報を作成する送達物送達経路図作成システムに係り、特にコンピュータでの送達物送達経路情報の変更や新規なものに更新して作成するのに便利な送達物送達経路図作成システムおよび作成方法並びに送達物送達経路図画面表示プログラムに関する。
【背景技術】
【０００２】
従来、郵便物送達経路図作成システムとして、種々の郵便物の送達情報をコンピュータにＤＢ（データベース）化する一方で、個別に郵便物を送達するにあたっては、その個別郵便物送達情報を入力することにより、送達日数等の情報がシミュレーションされるようにしたものがある。
【０００３】
すなわち、この種の郵便物送達経路図作成システムとして、特開２００３−３１２８５２号公報（［特許文献１］参照）に開示されている。
【０００４】
図４に示すように、この郵便物送達経路図作成システム１によれば、コンピュータ２に、送達したい郵便物を送達にあたって、当該郵便物の送達条件を入力する入力装置３，この入力装置３から入力される送達条件に見合う、送達シミュレーシュン情報基データを保存する積載情報ＤＢ４，この積載情報ＤＢ４の中から適合する送達シミュレーシュンを演算する演算手段５および適合する送達シミュレーシュンを図５に示すように画面表示する表示装置６を備えている。
【０００５】
図５に示す送達シミュレーシュンによれば、送達日数シミュレーション情報案内画面１０として、Ａ中央局（○印）１１からＡ東局（◎印）１２、Ｂ局（◎印）１３およびＣ局（◎印）１４（○印：不通局、◎印：地域区分局を表す）のように送達経路１５が示されている。
【０００６】
この経路情報は、図４に示すコンピュータ２の取扱者により、当該コンピュータ２の画面表示装置６に画面表示により送達経路の確認ができるようになっている。
【０００７】
従って、コンピュータ２の取扱者により所要の郵便物を送達する場合には、送達に先だって、郵便物送達経路図作成システム１を用いて所要の郵便物の送達経路の確認ができるので、郵便物の送達が最適且つ合理的に行なうことができる。
【特許文献１】特開２００３−３１２８５２号公報（第４頁左欄の［発明の実施の形態］の項〜第５頁左欄の３４行および図１，図５および図８）
【発明の開示】
【発明が解決しようとする課題】
【０００８】
従来の郵便物送達経路図作成システム１によれば、郵便物を送達する際に、郵便物送達者に対して、予め合理的に定められた送達ルートを前以て認知せしめることを主目的としたシステムであって、この送達ルートが変更されたり、新設道路を使用する等走行ルートの変更や新規走行ルートの加入等更新の際には、データベースの更新を図り、郵便物送達者（取扱者を含む）より、一層の郵便物送達の利便性向上が求められていた。
【０００９】
本発明は、上記事情に鑑みてなされたもので、郵便物を含め一般取扱送達物（以下、送達物という。）の送達者により、コンピュータを操作することにより、送達物送達経路図の変更（修正）や新規経路図の加入等更新された送達物送達経路図が利用できる送達物送達経路図作成システムおよび作成方法並びに送達物送達経路図画面表示プログラムを提供することを目的とする。
【課題を解決するための手段】
【００１０】
上記目的を達成するために、本発明によれば、通信網を介して通信接続される第１および第２のコンピュータを備え、上記第１のコンピュータには、入出力装置、画面表示装置、ＣＰＵおよびメモリを具備し、上記メモリには、地図情報データ，郵便番号情報データおよびこの郵便番号情報データの郵便番号に対応した画面位置割付座標データを備え、上記ＣＰＵには、上記画面位置割付座標データに基き、上記画面表示装置の画面上へ表示郵便番号およびこの表示郵便番号の表示位置を演算処理し、送達物送達経路図作成データを作成する郵便番号表示演算手段および郵便番号表示位置割付演算手段を備え、上記第２のコンピュータは、少なくとも画面表示装置を備え、上記第１のコンピュータ側から送信される送達物送達経路図作成データに基き、上記第２の画面表示装置の表示画面に送達物送達経路図を表示し得るようにしたことを特徴とする送達物送達経路図作成システムを提供する。
【００１１】
上記目的を達成するために、本発明によれば、通信網を介して通信接続される第１および第２のコンピュータを備え、上記第１のコンピュータは、入出力装置、画面表示装置、ＣＰＵおよびメモリを具備し、上記メモリには、地図情報データ，郵便番号情報データおよびこの郵便番号情報データの郵便番号に対応した画面位置割付座標データを備え、上記ＣＰＵには、上記画面位置割付座標データに基き、上記画面表示装置の画面上へ表示郵便番号およびこの表示郵便番号の表示位置を演算処理し、送達物送達経路図作成データを作成する郵便番号表示演算手段および郵便番号表示位置割付演算手段を備え、上記第２のコンピュータは、少なくとも画面表示装置と、上記第１のコンピュータ側にて書き込まれた送達物送達経路図作成データおよび送達物送達経路図画面表示プログラムを備え、画面表示装置にて送達物送達経路図を表示し得るようにしたことを特徴とする送達物送達経路図作成システムを提供する。
【００１２】
上記目的を達成するために、本発明によれば、通信網を介して通信接続される第１および第２のコンピュータを備え、上記第１および第２のコンピュータは、それぞれ入出力装置、画面表示装置、ＣＰＵおよびメモリを具備し、上記メモリには、地図情報データ，郵便番号情報データおよびこの郵便番号情報データの郵便番号に対応した画面位置割付座標データを備え、上記ＣＰＵには、上記画面位置割付座標データに基き、上記画面表示装置の画面上へ表示郵便番号およびこの表示郵便番号の表示位置を演算処理し、送達物送達経路図作成データを作成する郵便番号表示演算手段および郵便番号表示位置割付演算手段を備え、上記第１および第２のコンピュータの一方側が、他方側から上記送達物送達経路図作成データおよびこの送達物送達経路図作成データを画面表示するための送達物送達経路図画面表示プログラムデータを受信する一方、この受信した送達物送達経路図画面表示プログラムデータをメモリに記憶することにより、上記画面表示装置に送達物送達経路図を表示し得るようにしたことを特徴とする送達物送達経路図作成システム提供する。
【００１３】
上記目的を達成するために、本発明によれば、第１のコンピュータが、地図情報データ，郵便番号情報データおよびこの郵便番号情報データの郵便番号に対応した画面位置割付座標データを作成するステップと、この作成された画面位置割付座標データを第１のコンピュータが演算処理して送達物送達経路図作成データを作成するステップと、この送達物送達経路図作成データおよび送達物送達経路図画面表示プログラムデータを第１のコンピュータが第２のコンピュータ側へ送信するステップと、上記送達物送達経路図作成データおよび送達物送達経路図画面表示プログラムデータを受信した第２のコンピュータが、送達物送達経路図を作成するステップと、上記第２のコンピュータが、上記送達物送達経路図を画面表示装置に表示するステップとを具備することを特徴とする送達物送達経路図作成方法を提供する。
【００１４】
上記目的を達成するために、本発明によれば、第１のコンピュータが、地図情報データ，郵便番号情報データおよびこの郵便番号情報データの郵便番号に対応した画面位置割付座標データを作成するステップと、この作成された画面位置割付座標データを第１のコンピュータが演算処理して送達物送達経路図作成データを作成するステップと、この送達物送達経路図作成データおよび送達物送達経路図画面表示プログラムデータを第１のコンピュータがプログラムとして記憶するステップと、第２のコンピュータが、上記プログラムをプログラムリーダにて読み込むステップと、上記第２のコンピュータが、上記送達物送達経路図作成データに含まれる送達物送達経路図を、画面表示装置に表示させるステップとを具備することを特徴とする送達物送達経路図作成方法を提供する。
【００１５】
上記目的を達成するために、本発明によれば、コンピュータにて送達物の送達経路図を作成する処理を実行させる送達物経路図作成プログラムであって、上記コンピュータを地図情報データ，郵便番号情報データおよびこの郵便番号情報データに基き作成される画面位置割付座標データを作成、記憶する手段と、前記郵便番号が入力されると画面位置割付座標データに基き、入力された郵便番号に対応する表示装置を演算する手段と、この演算された結果を、前記地図情報と共に送達物経路図として画面へ表示出力する送達物送達経路図画面表示プログラムを提供する。
【発明の効果】
【００１６】
郵便物を所定の送達ルートに従って送達するにあたり、更新された送達物送達経路図を表示画面により目視確認することができるので、送達者に対して送達物の送達利便性を向上させることができる送達物郵便送達経路図作成システムおよび作成方法を提供することがでる。
【００１７】
また、更新された送達物送達経路図を表示画面に表示し得るにあたり、地図情報データ，郵便番号情報データおよびこの郵便番号情報データに基き作成される画面位置割付座標データを含む送達物送達経路図画面表示プログラムデータをプログラム化して使用することができるようにしたから、当該プログラムを別のコンピュータ側にインストールして使用可能となり、送達物送達者に対してより一層利便性を向上ならしめる送達物送達経路図画面表示プログラムを提供することができる。
【発明を実施するための最良の形態】
【００１８】
本発明にかかる送達物送達経路図作成システムの実施形態について、添付図面を参照して説明する。
【００１９】
図１は、本発明の送達物送達経路図作成システム２０の概要を示す図である。
【００２０】
送達物送達経路図作成システム２０には、郵便物等の送達物を組織的に扱う、例えば会社組織の本社２１と、地理的に離れて設けられた複数の支社、例えば支社２２ａ，支社２２ｂ〜２２ｎが設けられる。本社２１および各支社２２ａ，２２ｂ〜２２ｎには、それぞれ第１のコンピュータ（以下、本社端末という。）２３および第２のコンピュータ（以下、支社端末という。）２４ａ〜２４ｎが設置される。これらの本社２１および各支社２２ａ，２２ｂ〜２２ｎは、それぞれ本社端末２３および支社端末２４ａ〜２４ｎが通信網、例えばインタネット網２５を介してウェブ接続される。
【００２１】
従って、本社２１および各支社２２ａ，２２ｂ〜２２ｎの各本社端末２３および支社端末２４ａ〜２４ｎ間は、相互にデータ送受信が可能に接続される。
【００２２】
本社端末２３は、本社端末本体２６と、ＣＰＵ（Central Processing Unit）２７と、メモリ２８とを備えている。
【００２３】
本社端末本体２６は、入出力装置２６ａ，後述する送達物送達経路図画面表示プログラム記憶媒体４０用のプログラムリーダ２６ｂおよび画面表示装置２６ｃとを備えている。
【００２４】
入出力装置２６ａは、例えば入力キーを有し、キー操作により各種の信号の入出力を行なうことができる、例えばキーボードを用いている。この入出力装置２６ａは、例えば本社２１側から所要の送達物（図示せず）を、例えば支社２２ｂまで送達する場合に、画面表示装置２６ｃの表示画面に地図を表示して、送達取扱者に対して送達経路を確認する。
【００２５】
また、ＣＰＵ２７は、画面位置割付演算手段２７ａおよび郵便番号表示演算手段２７ｂとを備えている。画面位置割付演算手段２７ａは、郵便番号を指定することにより、該当部分の地図が画面表示装置２６ｃ側に画面表示される一方、この画面における地図上の緯度，経度に対応したｘ−ｙ座標位置が求められるようになっている。また、郵便番号表示演算手段２７ｂは、上記画面における地図上のｘ−ｙ座標軸の位置に、上記指定した郵便番号が所望の形態、例えば７桁のフル数字または３〜４桁程度の略数字により表示されるようになっている。
【００２６】
この表示形態として、郵便局用として使用する場合には、３桁表示または５桁表示を規定する郵便局表示標準に則って、また特定の表記方法により表示されるようになっている。また、具体的表示形態については、郵便番号表示演算手段２７ｂに予めプログラムすることができる。
【００２７】
更に、メモリ２８は、日本全国の地図，郵便番号別緯度・経度データおよび住所名，送達物着発送本・支店名およびその所在位置データ，送達モデルルート等の画面表示装置２６ｃの画面表示上必要なデータを保存している。上記日本全国の地図は、地域別，郵便番号別，送達ルート別，送達管轄別等の区分される一方、縮尺が、例えば一万分の一または十万分の一程度に、郵便番号にて識別可能な程度に縮尺され、また本社側送達管理者および取扱者が見易く工夫された程度に縮尺されるのが望ましい。また、これらの画面表示上に必要なデータは、新しいものに都度更新される。
【００２８】
従って、送達物の取扱者（管理者）により、送達業務が発生の都度、直ちに更新された地図情報を使用して、送達物の送達作業を行なうことができる。
【００２９】
この場合に、例えば送達経路に変更の必要が生じたり、新設された道路を正規の送達経路として取り扱う新しい更新情報データ（図示せず）が、本社２１または支社２２ａ自ら入手した時点で、送達物送達経路図作成データｙ（ｙ１〜ｙｎ）を直ちに更新して本社２１側および支社２２ａ〜２２ｎ側へ送信して、周知化を図りながら使用する必要がある。こうした際には、送達物の送達に先だって、送達物送達経路図作成データｙ（ｙ１〜ｙｎ）を更新する送達物送達経路図作成データ更新手続きが取られる。
【００３０】
この送達物送達経路図作成データ更新手続きにあたっては、本社端末２３を立ち上げて入出力装置２６ａを操作し、画面表示装置２６ｃに図２（ａ）に示すような更新事項入力画面（画面Ａ）５０を表示する。
【００３１】
この更新事項入力画面（画面Ａ）５０は、入力欄（枠内）に必要事項が書き込めるようになっており、具体的には、郵便局名欄５０ａ，縦書き、または横書きを選択する局名表示欄５０ｂ，郵便番号欄５０ｃ，地区区分局、普通局および指定局を選択する局区分欄５０ｄおよび３桁または５桁表示対象かを選択する入桁区分欄５０ｅが表示され、各欄に更新情報データに対応させた事項を入力するようになっている。
【００３２】
なお、この更新事項入力画面（画面Ａ）５０は、例えば郵便局間の送達路線作成に用いられるフォーマット例であり、その他の送達物送達業者に適用して用いる場合には、郵便番号を除き、実在住所等の表記を用いることができる。
【００３３】
このように、送達物取扱者側において更新事項入力作業が完了すると、更新後の郵便番号・住所リストを画面表示することができる。
【００３４】
すなわち、図２（ｂ）に示すように、更新後の郵便番号・住所リスト画面（画面Ｂ）５２を表示することができる。
【００３５】
具体的には、画面表示装置２６ｃには、画面表示される郵便番号・住所リスト画面（画面Ｂ）５２は、郵便番号・住所リスト更新情報として、更新された事項に関わる項列に「更」と表示される［更新］欄５２ａ，郵便局の態様を現す地区区分局、普通局および指定局の区分を表す［区分］欄５２ｂ，住所、例えば町村名を現す［地区］欄５２ｃ，郵便番号を現す［郵便番号］欄５２ｄおよび画面表示装置２６ｃの画面に示される地図上において、その座標が現される［画面座標］欄５２ｅが表示される。
【００３６】
そして、入出力装置２６ａを操作して、上記図２（ｂ）の「更」をクリックして、［ＯＫ］をクリックすることにより、更新された更新地図情報が、図２（ｃ）に示す送達経路表示画面５４に表示される。
【００３７】
この送達経路表示画面５４には、画面上の縦方向および横方向に、地図上の緯度・経度に対応したｘ−ｙ座標軸が表示され、［画面座標］のｘ−ｙ軸データに対応してプロットされた位置へ、○印または◎印表示にて区分表示されると共に、この印内に３桁または５桁表示扱いの郵便番号が表示されるようになっている。
【００３８】
送達物の送達起点局である○印の複数の起点局５４ａ〜５４ｄには、例えば「▽▽−▽」や「××−×」にて５桁表示対応の郵便番号が表示される。また、○印の複数の途中立寄局５４ｅ〜５４ｇには、起点局と同様に「▽▽−▽」にて５桁表示対応の郵便番号が表示される。
【００３９】
更に、◎印の終点局５４ｈには、３桁表示対応の、例えば「○○○」の郵便番号が表示されるようになっている。そして、起点局５４ａ〜５４ｄ側から途中立寄局５４ｅ〜５４ｇ側を介して、◎印の終点局５４ｈまでの間を、経路として示す実線ｘ１〜ｘ７にて線引きし、表示している。
【００４０】
この実線ｘ１〜ｘ７にて線引きは、支社２２ａの取扱者（管理者）により手入力により行なわれる。ここで、送達物の取扱者（管理者）は、更新された地図情報の送達経路表示画面を見て、送達物に関する全ての局５４ａ〜５４ｈの見直しを行なうことができる。
【００４１】
この見直しは、例えば送達物送達車両（図示せず）の走行性を考慮したり、道路状況の変化、更には人口分布の変化等の送達物扱い条件を考慮した場合、途中立寄局５４ｅ〜５４ｇを中心に変更することができる。そして、その場合には、上記変更に応じて起点局５４ａ〜５４ｄから終点局５４ｈまでを結ぶ途中立寄局５４ｅ〜５４ｇの経路変更を行なう。
【００４２】
具体的には、途中立寄局５４ｅ〜５４ｇの中の、例えば途中立寄局５４ｅを図２（ｃ）の点線で示す途中立寄局５４ｅ１へ変更することができる。この変更にあたっては、支社端末２４ａ側から「○○−×」を入力することにより、自動的に地図上のｘ−ｙ座標位置に○印およびこの○印内に、上記「○○−×」が表示される。
【００４３】
そして、更に入出力装置２６ａを操作して、画面表示装置２６ｃの画面上の実線（経路）ｘ１およびｘ２を、ｘ１１およびｘ２１のように描き直すことができる。
【００４４】
プログラムリーダ２６ｂは、所要のプログラムデータが記憶された送達物送達経路図画面表示プログラム記憶媒体４０、例えばＦＤ（フロッピー（登録商標）ディスク）４０ａやＣＤ（コンパクトディスク）４０ｂ等のプログラム記憶媒体を差し込みインストールすることができるものである。
【００４５】
画面表示装置２６ｃは、入出力装置２６ａにより入力されたデータや、このデータがプログラム処理されて出力された加工データ、すなわち送達物送達経路図を画面表示することができるものである。
【００４６】
次に、支社２２ａ〜２２ｎについて説明する。
【００４７】
支社２２ａ〜２２ｎに設けられる支社端末２４ａ〜２４ｎは、それぞれ同様の機能を有するものである。
【００４８】
支社端末２４ａ〜２４ｎには、それぞれ支社端末本体３０ａ〜３０ｎ，ＣＰＵ３１ａ〜３１ｎおよびメモリ３２ａ〜３２ｎが備えられる。
【００４９】
支社端末２４ａの支社端末本体３０ａは、入出力装置６１ａ，送達物送達経路図画面表示プログラム記憶媒体４０用のプログラムリーダ・ライタ６１ｂおよび画面表示装置６１ｃとを備えている。
【００５０】
入出力装置６１ａは、例えば入力キーを有し、キー操作により各種の信号の入出力を行なうことができるキーボードである。
【００５１】
プログラムリーダ・ライタ６１ｂは、所要のプログラムが記憶された送達物送達経路図画面表示プログラム記憶媒体４０、例えばＦＤ（フロッピー（登録商標）ディスク）４０ａやＣＤ（コンパクトディスク）４０ｂ等のプログラム記憶媒体を差し込み、インストールすることにより、送達物送達経路図画面表示プログラムデータが読み取ることができるようになっている。
【００５２】
画面表示装置６１ｃは、入出力装置６１ａにより入出力されたデータやこのデータがプログラムデータ処理されて出力された加工データを画面表示することができるものである。
【００５３】
また、ＣＰＵ３１ａには、画面位置割付演算手段６２および郵便番号表示演算手段６３とを備えている。
【００５４】
画面位置割付演算手段６２は、郵便番号を指定することにより、該当部分の地図が画面表示装置６１ｃに画面表示される一方、この画面における地図上の緯度，経度に適合した位置が求められるようになっている。
【００５５】
また、郵便番号表示演算手段６３は、上記画面における地図上の緯度，経度に適合した位置に、上記指定した郵便番号が所望の形態、例えば７桁のフル数字または３〜４桁程度の略数字により表示されるようになっている。
【００５６】
これらの画面位置割付演算手段６２および郵便番号表示演算手段６３により、メモリ３２ａ側に保存される画面位置割付座標データに基き、ＣＰＵ２７にて送達物送達経路図作成データｙが作成される。
【００５７】
また、郵便局用として使用する場合には、３桁表示または５桁表示を規定する郵便局表示標準に則って、また特定の表記方法により表示することができるように、郵便番号表示演算手段６３に予めプログラムデータが記憶される。
【００５８】
更に、メモリ３２ａは、画面表示装置６１ｃに送達物送達経路図を表示するため支社２２ａが管轄する地図，郵便番号別緯度・経度データおよび住所名，送達物着発送本・支店名およびその所在位置データ，送達モデルルート等のデータを保存している。
【００５９】
また、送達物送達経路図作成データｙは、経路図の変更の必要の都度、支社２２ａ側にて行なわれる。
【００６０】
また、メモリ３２ａには、ＣＰＵ３１ａにて作成された送達物送達経路図作成データｙを支社端末本体３０ａ側にて画面表示させるための送達物送達経路図画面表示プログラムデータｚを保存している。
【００６１】
そして、この送達物送達経路図画面表示プログラムデータｚを送達物送達経路図作成データｙと共に、本社端末２３側に送信するようにしている。
【００６２】
従って、送達物送達経路図画面表示プログラムデータｚを送達物送達経路図作成データｙとを受信する本社端末２３側にても、支社端末２４ａ側と同様に経路図の変更を必要の都度行なうことができる。
【００６３】
また、支社２２ａ側の支社端末本体３０ａの画面表示装置６１ｃに表示される送達物送達経路図は、縮尺が、例えば一万分の一または十万分の一程度に、郵便番号にて識別可能であり、また支社２２ａ側の送達管理者および取扱者が見易く工夫された程度に縮尺されるのが望ましい。
【００６４】
従って、送達物送達経路図作成システム２０によれば、本社２１の本社端末２３および支社２２ａ〜２２ｎの支社端末２４ａ〜２４ｎの何れかで作成した送達物送達経路図作成データｙ（ｙ１〜ｙｎ）を、他の本社端末２３および支社端末２４ａ〜２４ｎ側へ送信することにより、受信側である本社２１および支社２２ａ側にて画面表示装置２６ｃ，６１ｃに画面表示される送達物送達経路図を見るだけでなく、更新作業をも行なうことができる。
【００６５】
支社２２ａの支社端末２４ａのその他の構成は、本社端末２３の構成と同様であるので説明を省略する。また、支社２２ｂ〜２２ｎの支社端末２４ｂ〜２４ｎの構成および機能は、支社２２ａの支社端末２４ａと同様であるので説明を省略する。
【００６６】
次に、本社２１の本社端末２３および支社２２ａ〜２２ｎの支社端末２４ａ〜２４ｎに用いられる送達物送達経路図画面表示プログラム記憶媒体４０について説明する。
【００６７】
送達物送達経路図画面表示プログラム記憶媒体４０は、本社端末２３および支社端末２４ａ〜２４ｎ側の何れかにおいて、更新して作成された送達物送達経路図作成データを保存すると共に、本社端末２３および支社２２ａ側のＣＰＵ２７，６２にて備えられる郵便番号表示演算手段２７ｂ，６３および画面位置割付演算手段２７ａ，６２により演算処理可能なプログラムデータが記憶されたプログラム記憶媒体である。
【００６８】
従って、この送達物送達経路図画面表示プログラム記憶媒体４０は、本社２１の本社端末２３側および支社２２ａの支社端末２４ａ側の何れでも作成可能であるが、例えば送達物送達経路図の更新作業および送達物送達経路図画面表示プログラム記憶媒体４０の作成作業は、各支社２２ａ〜２２ｎ側で行い、本社２１側においては、各支社２２ａ〜２２ｎの何れかが作成したものを、インタネット網２５を介して本社端末２３側にインストールするか、送達物送達経路図画面表示プログラム記憶媒体４０を本社２１側へ送信して、当該本社２１側においては、支社２２ａ〜２２ｎ側の管理（監視）用として用いることができる。延いては、取扱者（管理者）に対して取扱至便なものとなる。
【００６９】
次に、送達物送達経路図作成システム２０の作用について図３を参照して説明する。
【００７０】
本社２１側の本社端末２３または支社２２ａ〜２２ｎ側の支社端末２４ａ〜２４ｎの少なくとも一方を立ち上げることにより、それぞれの送達物送達経路管理管轄範囲おいて、更新された送達物送達経路図を作成することができる。ここでは、例えば支社端末２４ａにより、更新された送達物送達経路図を作成するステップについて説明する。
【００７１】
先ず、支社２２ａの支社端末２４ａを立ち上げ、この支社端末２４ａの画面表示装置６１ｃにより図２（ａ）に示す画面Ａ５０を表示させる＜ステップ１＞。
【００７２】
支社端末２４ａの入出力装置６０より、画面Ａ５０に書き込まれた事項を支社端末２４ａのメモリ３２ａに記憶する＜ステップ２＞。
【００７３】
次に、支社端末２４ａが、＜ステップ２＞で入力された内容に基づき、メモリ３２ａに記憶されているデータを利用して図２（ｂ）に示す画面Ｂ５２を表示する＜ステップ３＞。
【００７４】
そして、支社端末２４ａが、＜ステップ２＞、＜ステップ３＞による入力に基づきメモリ３２ａに記憶されているデータより、地図、位置情報等を抽出し、画面Ｂに表示した郵便番号（３桁または５桁表示対応）を、図２（ｃ）の画面Ｃ５４に示すように、画面座標上の所定位置に表示する＜ステップ４＞。
【００７５】
＜ステップ２＞で更新事項が書き込まれた場合には、この更新事項を支社端末が記憶する。
【００７６】
すなわち、更新された郵便送達経路を確認し、修正する場合は、送達経路を示す実線ｘ１〜ｘ７を必要に応じて引き直す＜ステップ５＞。
【００７７】
支社端末２４ａが、図２の画面Ａ〜Ｃの表示データおよび送達物送達経路図画面表示プログラムデータｚを送達物送達経路図画面表示プログラム記憶媒体４０に記憶させる＜ステップ６＞。
【００７８】
支社端末２４ａが、この端末２４ａにて記憶した送達物送達経路図作成データｙ（ｙ１１）および送達物送達経路図画面表示プログラムデータｚを本社２１側へ送信する＜ステップ７ａ＞。
【００７９】
また、本社２１側が、送達物送達経路図画面表示プログラム記憶媒体４０を利用する場合には、この記憶媒体４０を本社端末２３へインストールする＜ステップ７ｂ＞。
【００８０】
本社２１側は、本社端末２３へインストールした送達物送達経路図画面表示プログラムデータｚを本社端末本体２６にて演算処理し、画面表示装置２６ｃに画面表示する＜ステップ８＞。
【００８１】
以上の＜ステップ１＞〜＜ステップ８＞を経ることにより、送達物を取り扱う送達者（管理者）側である支社２２ａ側から、本社２１および各支社２２ａ〜２２ｎ側にて、送達物送達経路図作成システム２０を構築することができる。
【００８２】
従って、送達物を直接取り扱う支社２２ａ側の送達者（管理者）のみならず、本社２１や支社２２ｂ〜２２ｎにおける関係者にても、最新の更新された送達物送達経路図を使用することができ、極めて合理的且つ至便なものとなる。
【００８３】
また、本発明の送達物送達経路図作成システム２０によれば、本社端末２３および支社端末２４ａ〜２４ｎのそれぞれを通信接続する通信網であるインタネット網２５は、一般無線網または光ケーブル等の専用回線網であってもよい。
【００８４】
また、送達物送達経路図画面表示プログラム記憶媒体４０は、ＦＤ４０ａおよびＣＤ４０ｂを例示したが、他のＤＶＤ等の可搬型の記憶媒体であればよい。
【００８５】
更に、更新された送達物送達経路図を、例えば支社端末２４ａの画面表示装置６１ｃにより画面表示し得るにあたり、地図情報データ，郵便番号情報データおよびこの郵便番号情報データに基き作成される画面位置割付座標データを含む送達物送達経路図画面表示プログラムデータｚをプログラム化して使用することができるようにしたから、プログラムを別のコンピュータ側に記憶させることにより使用可能となり、送達物送達者に対してより一層利便性を向上ならしめる送達物送達経路図画面表示プログラムを提供することができる。
【図面の簡単な説明】
【００８６】
【図１】本発明の送達物送達経路図作成システムの実施形態を示す概要図。
【図２】本発明の送達物送達経路図作成システムの実施形態における画面例を示す図で、（ａ）は更新事項入力画面例を示す図、（ｂ）は郵便番号・住所リスト画面一例を示す図、（ｃ）は送達経路表示画面例を示す図。
【図３】本発明の送達物送達経路図作成システムの一方のパソコン側から他方のパソコン側へ送達物送達経路情報を送信するステップを示す図。
【図４】従来の送達物送達経路図作成システムの概要を示す図。
【図５】従来の送達物送達経路図作成システムにおけるパソコンの表示画面に表示される表示画面例を示す図。
【符号の説明】
【００８７】
２０  送達物送達経路図作成システム
２１  本社
２２ａ，２２ｂ〜２２ｎ  支社
２３  本社端末（第１のコンピュータ）
２４ａ〜２４ｎ  支社端末（第２のコンピュータ）
２５  インタネット網（通信網）
２６  本社端末本体
２６ａ，６１ａ  入出力装置
２６ｂ  プログラムリーダ
２６ｃ，６１ｃ  画面表示装置
２７，３１ａ〜３１ｎ  ＣＰＵ（Central Processing Unit）
２７ａ，６２  画面位置割付演算手段
２７ｂ，６３  郵便番号表示演算手段
２８，３２ａ〜３２ｎ  メモリ
３０ａ〜３０ｎ  支社端末本体
４０  送達物送達経路図画面表示プログラム記憶媒体
５０  画面Ａ（更新事項入力画面）
５０ａ  郵便局名欄
５０ｂ  局名表示欄
５０ｃ  郵便番号欄
５０ｄ  局区分欄
５０ｅ  入桁区分欄
５２  画面Ｂ（郵便番号・住所リスト画面）
５２ａ  「更新」欄
５２ｂ  「区分」欄
５２ｃ  「地区」欄
５２ｄ  「郵便番号」欄
５２ｅ  「画面・座標」欄
５４  画面Ｃ（送達経路表示画面）
５４ａ〜５４ｄ  起点局
５４ｅ〜５４ｇ  途中立寄局
５４ｈ  終点局
６１ｂ  プログラムリーダ・ライタ
ｘ１〜ｘ７  実線（経路）
ｘ１１，ｘ１２  点線（経路）
ｙ（ｙ１〜ｙｎ）  送達物送達経路図作成データ
ｚ  送達物送達経路図画面表示プログラムデータ
【図１】
2005289592.tif 000003
【図２】
2005289592.tif 000004
【図３】
2005289592.tif 000005
【図４】
2005289592.tif 000006
【図５】
2005289592.tif 000007